(57)【要約】本発明は、非言語的または情緒的な信号をコーディングし送信し、および／または受信する装置に関し、前記非言語的または情緒的信号は、接触、圧力または変形を検出する少なくとも１つのセンサ（１０）を有する入力ユニット（３）によりピックアップされ、または測定される。前記信号はたとえば無線ネットである通信ネットワークを介して送信され、前記受信機は伝送された信号を視覚的、音響的および／または機械的に認識できる信号、たとえば振動へ変換する。
2005519387.tif 000002
【特許請求の範囲】
【請求項１】
非言語的または情緒的な信号をコーディングし、送信し、および／または受信する装置であって、前記非言語的または情緒的な信号は入力装置（３）から送信され、前記入力装置は接触、圧力、または変形の表現のための少なくとも１つのセンサ（１０）を含み、前記信号はたとえば無線ネットワークのような通信網上で受信され測定され送信され、それにより受信人が受信装置（３）を所有し、この受信装置（３）が前記送信された信号を視覚的、音響的および／または機械的にデコードされた信号へ変換することを特徴とする前記装置。
【請求項２】
前記入力装置（３）が前記接触センサ、圧力センサ（１０）、光学センサ（１６）、振動センサ、熱センサおよび／またはボタン（５、６）を含むことを特徴とする請求項１記載の装置。
【請求項３】
前記入力装置（３）が接触または圧力感知面を有し、その上にセンサ・アレイが配列され、これにより複数の接触点と圧力点が別々にアクセス可能であることを特徴とする請求項１または２記載の装置。
【請求項４】
前記入力装置が評価素子を有し、そこで接触感知表面および圧力感知表面に加えられる圧力が個別に捕捉されることを特徴とする請求項３記載の装置。
【請求項５】
前記接触または圧力感知表面が透明または半透明であるように設計されたことを特徴とする請求項３または４記載の装置。
【請求項６】
前記受信装置（３）が種々の色を表現するための表示装置、加熱表面および／または振動発生器（２）を備えていることを特徴とする請求項１ないし５の内の１項に記載の装置。
【請求項７】
前記ディスプレイ装置が種々の色および／または光強度の様々な程度の前記表現のために設計され、それにより接触、圧力および／または変形センサから解読された信号に従って前記光および／または前記光強度を変更可能であり、それにより有利に前記接触感知面上の接点の変化が色の変化をもたらし、すなわち接触圧力の変化または光強度の変化をもたらすことを特徴とする請求項６記載の装置。
【請求項８】
前記ディスプレイ装置が複数の個別に制御可能な領域を有し、これらは互いに異なる色彩表現のために設計され、接触感知面の対応する領域の接触により、それぞれ動作させることができることを特徴とする請求項６または７のいずれかに記載の装置。
【請求項９】
前記入力装置が変形可能なクッション（９）を有することを特徴とする請求項１ないし８のいずれか１項に記載の装置。
【請求項１０】
前記変形可能なクッション（９）が、柔軟または可塑性の変形可能な接触面の下に少なくとも１つの光センサ（１６）特に１つの光抵抗を含むとともに、複数の光屈折充填物詳しくは球体を含み、これの位置が前記接触面上の圧力により変化し得ることを特徴とする請求項９記載の装置。
【請求項１１】
前記変形可能なクッション（９）が柔軟または可塑性の変形可能な接触面の下に、たとえばＬＥＤの光源（１１、１２、１３）を有することを特徴とする請求項９または請求項１０記載の装置。
【請求項１２】
異なった色を有する光源（１１、１２、１３）が前記クッション（９）内に配置され、前記光源は個別に制御可能すなわちスイッチ可能であることを特徴とする請求項９、請求項１０または請求項１１記載の装置。
【請求項１３】
前記受信装置（３）がクッション（９）として構築され、その形が圧力センサまたは変形センサのデコードされた信号により変化できることを特徴とする請求項１ないし１２のいずれか１項に記載の装置。
【請求項１４】
前記コード化された信号がトーンまたはトーンのシーケンスとして送信され得ることを特徴とする請求項１ないし請求項１３のいずれか１項に記載の装置。
【請求項１５】
前記コード化された信号がデジタル化され、デジタル形式で送信されることを特徴とする請求項１ないし請求項１３のいずれか１項に記載の方法。
【請求項１６】
前記入力装置（３）および受信装置（３）が電気通信装置から分離したエンティティ、特に移動電話により構築されていることを特徴とする請求項１ないし請求項１５のいずれか１項による装置。
【請求項１７】
前記装置（３）が電気的インターフェイスを装備しており、このインターフェイスにより追加のセンサを処理する入力モジュールおよび／または受信モジュールへ接続できることを特徴とする請求項１ないし請求項１６のいずれか１項による装置。
【請求項１８】
センサを有し、また請求項１７による装置へ接続するための電気的インターフェイスを有する入力モジュール。
【請求項１９】
請求項１７による装置と接続するための電気的インターフェイスを有する受信モジュール。
【発明の詳細な説明】
【技術分野】
【０００１】
本発明は、非言語的な情報すなわち情緒的に発生された信号を符号化、送信および／または受信する装置に関する。
【背景技術】
【０００２】
電気通信は通常、情報を伝送する役をするように設計され、その情報は原則として言葉の通信であるか、または他方テキストによる通信である。この方法において、送り手からのメッセージが受信された時に、可読な言語形式へ変換されるように、テキストは適当なコードで提示される。既に知られているのは電気通信装置の古典的な使用であり、そこで互いに空間的に離れた人々が、明確に指定された出来事により、すなわち一つには、それぞれの受信する人（以下「受信人」）の電話番号の選択により、互いに通信することができる。ここでいう古典的な使用は、必要ならばテレメータのデータ（ｔｅｌｅｍｅｔｒｉｃ  ｄａｔａ）または生物測定学のデータ（ｂｉｏｍｅｔｒｉｃ  ｄａｔａ）を通信装置を通じて伝送でき、これにより、中央のコンピュータ局において、対応する分析、診断またはビジネスの提案さえ処理することができる。このタイプの信号伝送の場合は、原則として既存の諸条件たとえば決まった温度またはパルス速度を、または更に必要ならばＥＫＧデータを、中央コンピュータへ送り、次に中央コンピュータはそこへ接続された情報を放送できるようにし、また必要ならば、解読されたメッセージの印刷出力またはスクリーン画像を供給する。
【発明の開示】
【発明が解決しようとする課題】
【０００３】
既知の電気通信装置によれば、空間的に離れた人々が互いにコンタクトして理解できるようになるが、今日まで言語の交換またはテキスト関連情報の伝送に限られている。
【０００４】
本発明は、たとえば熱情または怒りのような感情の、非言語的な分かち合いを可能にする目的に向けられ、この分かち合いは、生物測定学データなどの具体的な目的から独立している。本発明の目的は、この方法により、空間的遠距離にある人物が詳細な個人関連の情報交換をできるようにすることである。この発明は更なる目的を意図し、この目的のための装置として、小さな寸法と単純な構成のものを作って、従来の所定コードの最小限により非言語的通信の適当な伝送を、誤解の可能性を最少にして、実現することである。
【課題を解決するための手段】
【０００５】
この目的を達成するために、本発明の装置は本質的に、非言語的なものつまり、１つの入力ユニットからの情緒的信号がある言及、ある圧力またはある変形を少なくとも１つのセンサに捕捉したことを組み込んでいて、その特性が受信され、測定され、最終的に通信ネットワークすなわち無線通信システム上へ、広められることができる。これらの状況は、受信人が受信ユニットを所有して、これが前記送信された信号を理解可能な可視および／または可聴および／または機械的に受信可能な形式に転置することを可能にする。
【０００６】
それにより、非言語的なすなわち情緒的に引き起こされた入力装置の信号が、（１）利用可能になり、（２）受信ユニットへ送信され、（３）実際の解釈のために適当な形式に公式化されている。さらに前記入力ユニットは、精神の種々な状態の比較的困難な公式化のコードを把握するだけでなく、単純で間違えようのない非言語的入力を実際に受け取る。これが真実であるということは、そうしたシステムの受信側が本質的に改良され得る可能性が、達成されるということである。
【０００７】
それにより、前述のように入力装置が言及、圧力または変形を捉えるために、少なくとも１つのセンサを組み込んでいるので、たたく、押すまたはつまむなどの非言語的なコミュニケーションを、単純な方法で入力でき、この方法のコーディングはマスターしやすく、前記コーディングの後は、前記コミュニケーションを通常の通信網上で伝送できる。これがなされると、今や受信人は受信装置を所有でき、そこで伝送された信号が、１つまたはそれ以上の可視、音響または機械的形式に変換され、たとえば前記形式は振動であって、前記受信人が知覚できるものである。したがって、今や、ある入力装置のセンサ上の電流圧力または打撃運動の受信に対して、適当な前記視覚、音響または機械的方法により、理解できるようにすることが可能である。これを別の言葉で表現すれば、そのポイントは、言語化を止めて、代わりに送信者のためだけでなく受信人のためにも、所定の限度へコミュニュケーションを減少し限定することである。この方法により、通常の言葉による伝達の誤解を伴う全ての傾向の他に、伝達の第２通路を開くことができ、それを比較的単純な入力装置で実行できる。これにより可能性を手に入れて、充分な理解と恐らくは特別の目的により情緒的な状態をシミュレートし伝送して、その再生は完全に可能であり、実際の生物測定学的な測定可能な値から独立したものである。
【０００８】
特に単純な方法で、この動作のために発明された知識はある範囲まで開発され、そこでは入力装置が、タッチし、プレスし、光学器械またはシェイクするためのセンサまたはボタンを有する。そうした、接触モード・センサまたは圧力センサは、特別に設計された小さなパッケージ、たとえばチップ上に集積されたセンサに基づくサイズで収納され、入力装置の構成要素の全ては、ありうる最少の空間にコンパクト化され、それでも複数の非言語的信号の発生が可能である。
【０００９】
有利な方法で、特にたとえばたたくこと（ｓｔｒｏｋｉｎｇ）などで信号を捕捉する能力に関して、前記装置の設計は、入力装置が接触すなわち圧力感知面を有し、その上にセンサ・アレイが配置され、これにより、多数の接触すなわち圧力のポイントが個別にアクセス可能になる。結果として入力装置はトラック・パッドの方法により設計され、ラップ・トップ・コンピュータで使用されることにより、たたく動作さえセンサからピック・アップされて送信される。この受信装置は、たとえば前記たたく動作に対応する移動する光であり得る。
【００１０】
たたく動作の最も現実的な再生を達成するために、適当な表面上に測定される接触と圧力を表現する点の空間的変位のみでなく、加えられた圧力の大きさも測定される。この方法で、入力装置は定量化された入力信号を有し、これにより、加えられた接触圧力を、指定された接触圧力感知表面で特によく検出し評価できる。受信信号の表現の部分において、たとえば種々の接触圧力の変換が、光の色素および／または彩度の変化により検出され、または音響信号に伴う音響レベルの程度を判断することにより、遂行される。
【００１１】
もう１つの有利な実施例によれば、接触・圧力感知表面は、透明または半透明であって、この面の下に、たとえばディスプレイ装置、種々の色の光またはＬＥＤなどが配置されている。これがなされると、入力装置は送信装置として同時的に動作でき、オプションとして接触・圧力表面が入力装置として実行することができ、または前記入力装置の透明な表面の下のディスプレイ装置が、画像またはデータ・ステートメントの制作者として動作できる。この方法により、二つのパートナーの間の瞬間的な双方向通信で、各々入力および受信装置の組み合わせを有するものが可能になる。
【００１２】
一般に、対応する信号が受信装置へ正確に伝えられ、入力端における信号の動きが正確に捕捉されることを保証するために、また送信されたステートメントが本質的にプロポーショナルであって、そのとき有利に測定されることを保証するために、設計は、受信装置が種々の色の表現のためのディスプレイ手段を有し、また感熱表面を有し、振動発生器を有するように、考えられなければならない。好ましくはディスプレイ素子がその範囲に展開され、それは種々の表現および種々の光の強度のために特に良く設計されている。この方法により、色の伝送の光の強度の特性は、接触または圧力または変形のためのセンサの信号の解読に従って、調節できる。これらの状況の下で、適当な感知表面上の接点の変更が行われると、それぞれ色彩、接触、圧力の値および光の強度が変化する。これにより非言語的および／または情緒的な信号の広範で直接的で容易に包括的な伝送が達成され、受信装置による前記諸信号の受容が、品質においてさらに増幅され得る。
【００１３】
本発明の装置の有利な展開として、たとえば、接触・感知表面上をたたくことによる情緒的信号のより良き理解と伝達が得られるのは、接触感知表面の対応する選択された領域をタッチすると、それぞれ動作するディスプレイのアレイが複数の個別に制御可能で異なった色に着色された領域としてである。この設計により、入力と受信の両方の能力を有する１つの装置が、割り当てられた活動の諸領域を有し、これらは単純な方法により、透明な接触表面の下にある表示装置の配列によりマークされ、それらの領域において適合して配置できる。
【００１４】
変形の捕捉を実行できるようにするために、特に、たたくこと愛および黙従およびつまむようなことの信号入力を確実にすることに関して、本発明の設計の考えは、入力装置が変形可能なクッションを有し、このクッションは柔軟または可塑性の接触表面で構成され、その中にカプセル化されていて、それが示すものは、光センサ特に光抵抗素子および複数の光屈折ガラスビーズであって、後者は特に球体であって、それらの接触表面上の圧力により位置的に変化可能である。とくにクッションのこの最後の有利な設計な場合、ガラス球体、特に小さなガラス・ビーズは、柔軟な接触可能表面の下にカプセル化されていて、前記接触表面の対応するこねること、つまむこと、押すことまたはたたくことを実行可能にし、こうしてビーズを充填したクッションをひねることが可能で、外部の光の条件にそれぞれ従って供給された光センサの反応により、異なった信号を発生できる。たとえば接触表面が強い環境光条件中に手で覆われるならば、これは光センサのフォト・セルにおいて、対応して大きく値が減少する。これが起こると、充填された物体（前記ガラス・ビーズ）の光屈折の相対的なスライディングにより、そのときこれらが個別に、光学的にセンスされるので、色の印象が対応して変化する。
【００１５】
さて、有利には環境光の低い値の間にさえ、対応する信号の発生に光センサを使用して前記の種類の装置を使用できるようにするために、変形可能なクッションが、光源すなわち柔軟または可塑性の接触面を有するＬＥＤを有するように、設計を考える。この場合集積光源により放出される光は、クッション詰め物の本体または球面の対応する転移により、光センサへ種々の信号を出し得る。この追加の光の振幅は、この場合環境光との関係において、入力装置により補償され、入力装置はポテンショ・メータにより正しいバランスを形成する。これに続いて、前記ＬＥＤのような光源の存在は、運転状況が種々な放射光の色を有する種々な光源を含むときに、入力装置のためだけでなく受信装置のためにも有利である。この入力装置は、こうして受信装置と本質的に同一の方法で構築される。その場合圧力センサに関しては、対応するスラスト運動またはもう１つの光学的プレゼンテーションを表示できること、これが送り手側に加えられる圧力の運動に直接関連する情報を供給することに注意しなければならない。そうした圧力の運動は、軸方向の変位の形式で目視または機械的に検出できるだけでなく、ディスプレイの画面内にそれらが表示され、たとえば種々の色のハイライトの画像により表示され、最初に圧力が加えられた圧力点を、これが明瞭に表現する。
【００１６】
もし受信装置がクッションと同様に設計され、その形および／または色の表現が表面操作により変更でき、圧力または変形のセンサに入ってくる解読され送信された信号をこうして表示するならば、真実のリアリティ・イメージングを有利に達成できる。そうした設計は、入力装置と受信装置を本質的に同一の構成要素から構築することを可能にする。
【００１７】
接触表面は透明または半透明であるように設計でき、これにより特に種々の色のＬＥＤが含まれる場合に、受信装置が送信と受信の両方を同時的に行えるならば、可能な限り色の組み合わせを視覚化することさえできる。この目的でクッション内の種々の光により光源が配列され、これらの光は個別に制御可能つまり点滅可能であるように、設計を考えられる。
【００１８】
入力装置から取られた対応する信号の伝送は、コード化された信号がトーンまたはトーンの継続として送られるような単純な方法でなされる。しかしながら、コード化されたトーン信号をデジタル化して、デジタル化形式でも転送できる。
【００１９】
採用された構成要素のために、この装置は小さなパッケージとして構築でき、したがってその重さの重量は手の動きの人間工学に合致し、たたくこと、押すこと、つまむことまたはあるボタンを動作させるなど対応する操作を可能にする。この装置を、実際の電気通信装置から独立して別に構成し、それから適当な方法により、それに電気的に接続することができる。そうした接続のためにケーブルによる連結の他に、短距離のために本来無線接続が適応可能であり、これは、「Ｂｌｕｅｔｏｏｔｈ」規格により提示されている。赤外線接続も可能である。この発明による装置は、こうして入力装置が電気通信装置から独立して作用できるように有利に設計される。これは移動電話に関する場合に、特に真実である。
【００２０】
本発明の装置は、基本的な構成要素を装備した場合、下記の諸機能を実行するように備えられる。
接触センサ          照明された表面
栄養センサ          照射（ｌｉｇｈｔｉｎｇ）
圧力センサ          フラッシュ照射
変形センサ          プローバ
温度センサ          スイッチ
拡声器              その他
追加として、有利には電気的インターフェイスが供給され、それにより本発明の装置は追加のセンサまたは装置と通信でき、さらなるアプリケーションの可能性を供給され、また追加の受信モジュールに接続される。本発明の目的は、こうしてセンサを有する適当な入力モジュールであると共に、対応する受信モジュールであり、後者は、前記入力モジュールとの通信のために、それぞれ電気的なインターフェイスを有する。当然組み合わせ入力／受信モジュールに通常の電気的インターフェイスを供給することが可能である。この入力／受信モジュールは、拡張機能のための基本的装置の装備に役立ち、これが前記基本的装置の価値を増加させる。
【実施例】
【００２１】
図１において、本発明の１つの実施例が上面図で示される。この装置は、適当な基礎または電気通信装置との相互接続のために、３つのローブの構成として設計されている。これらのローブにおいて、エネルギー源１、バイブレータ２および他の構成要素が備えられる。二つのバイブレータ２を使用すると、対応する回路配列または中心軸の周りに、装置３全体の回転さえ設計することができる。この場合、それぞれのバイブレータ２は、２つの矢印４の方向に運動する一定の自由を許容され、これにより回転運動における２軸運動を生成することができる。
【００２２】
この装置３は、さらには説明しない制御論理回路の他に、ローブの中または中間部に配置され、また装置のオン／オフ切り替え用のスイッチ５および自由プログラマブル・ボタン６を含み、これにより機能が伝送される。またポテンショメータ７および同８が略図で示され、これにより対応する校正および特に環境光を可能にするための適当なチューニングが行われる。
【００２３】
この実施例に示される設計の中心的な構成要素は、中央に配置されたクッション９で、圧力ボタン１０を有する。このクッションは膜に覆われ、その膜自体は透明で、この方法により前記膜の下にある発光素子が、それらの彩度と色素により認められる。項目１１、１２および１３に関して、種々の色値の発光ダイオード（ＬＥＤ）を図式的に示す。これらの発光ダイオード１１、１２、および１３は、互いに分離可能であり、この方法により、それに入射する光および色の範囲を制御できる。
【００２４】
中央に配置されたボタン１０は、本質的に軸方向へ押すことができ、それによりこの動きをロッド１４により引き受ける。ロッド１４自体もまた、駆動装置へ結合され得る。もしロッド１４が受信機側に配置されていれば、そのときは駆動装置が軸方向にロッド１４を動かして、送り手側に加えられる圧力の機械的な視覚化によりそれを認識できるようにする。所与の実施例に追加的に配置されるのはストロボ１５であって、その例外的な効果が実行される。
【００２５】
透明なもの、すなわち半透明な接触感知膜の下には、対応するガラス球体またはビーズが充填物として配置されてもよく、覆いの膜の外乱により変位できる。各々の場合、どれだけ多くの発光ダイオード１１、１２または１３が動作されたか、すなわちどれだけ強い外部環境光強度が、装置３の直接環境内にあるかに従って、光センサ１６から異なった光の印象が明らかになり、これに対応してコード化できる。光センサ１６により、これらの状況の下で、たたく動作またはつまみさえ検出され、対応して送信される。さらにフォト・セルすなわち光センサ１６から得られる光の印象に加えて、当然ボタン１０の並進運動（ｔｒａｎｓｌａｔｉｏｎ  ｍｏｔｉｏｎ）もまたセンサ信号として、働く。
【００２６】
図２は、この装置の変化した実施例を示し、そこで以前に説明した変形可能なクッションは省略され、情緒的内容の転送のために、光信号と共に主としてタッチ・センサが使用される。装置３は、人間工学的な考察による外形を有し片手操作に好適であり、その形はコンピュータ・マウスに比べられる。さらに装置のオン／オフ切り替えのスイッチ５があり、また自由にプログラム可能なボタン６が装備されて、これがいくつかの機能を引き受ける。装置３の中央の素子は、たたくことなどの動作を捕捉するための、本質的に円形のタッチまたは圧力感知面１７である。この面はセンサ１７であって、圧力、変形、またはそれら自身を変える電気信号により、物理的な接触を捕捉する。こうした信号は、たとえば、抵抗網、キャパシティブ、ホール・センサまたはフォト・セルと指定されるアレイから得られる。この種のセンサのための評価電子回路により、接触または圧力感知面１７の限度内で放出される外乱の位置を決定できると共に、加えられた外乱の定量的なサイズを決定することができる。接触または圧力感知面１７は、透明であって、前記表面の下にある表示装置の下からの信号、すなわちＬＣＤまたはＬＥＤから放出されるものが見えるように設計される。表面１７すなわちディスプレイ装置は、多数の領域１８にまたがり、これによりディスプレイ装置の各領域が個別に独立して制御される。これにより種々の異なった色で、これら領域を照明することができる。この場合の設計は、接触または圧力感知面１７の各領域１８が、そこに専用のディスプレイ装置の対応領域１８を有するように、考えられる。さらに送信者にタッチされた領域が、受信者に照明される。これにより第１の通信パートナーの打鍵運動により実施されるたたく動きが、第２の通信パートナーへ対応して見えることが可能になる。
【００２７】
上記に加えて、一体化されたフラッシュ付きのボタン１９が見え、これにより送り手により前記ボタン１９の作動が、結果として受信者に閃光を出す。更に動作ボタン２０、２１、２２の作動は、特殊効果の伝送に役立つ。最後に拡声器２３が装備されて、ボタン２４、２５または２６の送信側作動により、種々の音声信号を放出できる。
【００２８】
接続２７により、もし装置３が電話回線、たとえば移動電話に接続するならば、当然拡声器２３により電話回線網による言葉の通信が受信されて、前記拡声器２３により音声的に反復される。
【００２９】
参照番号２８はインターフェイスを示し、これのより追加のモジュールが装置３へ接続される。
【００３０】
全体として、この種の小型に構築された装置により、理解困難な入門マニュアルによりこの長所の達成を危険にさらすことなしに、情緒的入力の複数の可能性と多数の可能な信号によって、そうした情緒的入力が広範囲にわたり信号化できる。
【図面の簡単な説明】
【００３１】
略図で示す実施例の図面の助けを借りて、以上に本発明を一層詳細に説明した。
【図１】本発明の装置の第１実施例を図示する。
【図２】本発明の装置の第２実施例を図示する。
【図１】
2005519387.tif 000003
【図２】
2005519387.tif 000004
【国際調査報告】
2005519387.tif 000005
2005519387.tif 000006
2005519387.tif 000007
2005519387.tif 000008
2005519387.tif 000009
2005519387.tif 000010
2005519387.tif 000011
2005519387.tif 000012
2005519387.tif 000013
2005519387.tif 000014
2005519387.tif 000015
2005519387.tif 000016